(57)【要約】【課題】プラットフォーム基板が有する広い定格特性範囲に合わせて過電圧保護閾値を設定することができる点灯装置および照明器具を提供する。【解決手段】点灯装置１００は、不揮発性メモリ１９ａに書き込まれた対応値に応じて過電圧保護閾値Ｖｓｔｈａ、Ｖｓｔｈｂを切り替えるための手段として、電圧検出回路５２を備えている。電圧検出回路５２は、点灯装置１００が出力する電圧を検出し、検出した検出電圧Ｖｄｅｔを制御手段５３の制御ＩＣ１８に供給する。過電圧保護閾値Ｖｓｔｈの変更を実現するための好ましい形態の１つとして、電圧検出回路５２が対応値に応じて制御ＩＣ１８に供給する検出電圧Ｖｄｅｔを可変に設定する。制御ＩＣ１８は、電圧検出回路５２で検出した検出電圧Ｖｄｅｔが、制御ＩＣ１８の保護閾値電圧Ｖｓ以上となったら過電圧保護動作を行う。【選択図】図２
2015170527.tif 000002
【特許請求の範囲】
【請求項１】
光源を点灯させる回路を構成する複数の電子部品と不揮発性メモリを有する制御手段とが少なくとも実装された基板であり、定格電圧と定格電流とに基づいて決まる定格特性が互いに異なり、かつ、前記定格特性が所定の範囲に含まれる前記定格特性の違う複数種類の前記光源が使用候補となるとともに、前記使用候補となる複数種類の前記光源のうちいずれかの前記光源の前記定格特性に対応する対応値が前記不揮発性メモリに書き込まれることによって、前記対応値に対応する前記定格特性の前記光源を使用できることが確定する基板であるプラットフォーム基板を備え、
前記不揮発性メモリには定格特性に対応する対応値に応じた過電圧保護閾値が書き込まれ、
前記不揮発性メモリに書き込まれた前記対応値に応じて過電圧保護閾値を変更し、
前記プラットフォーム基板が出力する電圧が前記過電圧保護閾値以上となったとき前記制御手段が過電圧保護動作を行う点灯装置。
【請求項２】
前記プラットフォーム基板が出力する電圧を検出し、検出した検出電圧を前記制御手段に供給し、前記検出電圧を前記対応値に応じて可変に設定する電圧検出回路を備え、
前記制御手段は、前記検出電圧が保護閾値電圧以上となったとき前記過電圧保護動作を行う請求項１に記載の点灯装置。
【請求項３】
前記電圧検出回路は、
前記プラットフォーム基板の出力端に設けられた抵抗分圧回路と、
分圧比を変えるように前記抵抗分圧回路を構成する抵抗に付加される付加抵抗と、
前記付加抵抗と前記抵抗分圧回路との接続と遮断を切り替えるスイッチと、
を備え、
前記対応値に応じて前記スイッチを制御することで前記検出電圧を変更する請求項２に記載の点灯装置。
【請求項４】
前記プラットフォーム基板が出力する電圧を検出し、検出した検出電圧を前記制御手段に供給する電圧検出回路を備え、
前記制御手段は、前記電圧検出回路で検出した検出電圧が保護閾値電圧以上となったとき前記過電圧保護動作を行い、
前記制御手段が前記対応値に応じて前記保護閾値電圧を可変に設定する請求項１に記載の点灯装置。
【請求項５】
前記対応値それぞれに対応する前記定格特性の出力電流値それぞれに対するマージンが等しくなるように、前記対応値に応じて前記過電圧保護閾値を変更する請求項１〜４のいずれか１項に記載の点灯装置。
【請求項６】
使用候補となる前記複数種類の光源は、
ＬＥＤモジュールまたは有機ＥＬモジュールである請求項１〜５のいずれか１項に記載の点灯装置。
【請求項７】
光源と、
前記光源を点灯させる点灯装置と、
を備え、
前記点灯装置は、
光源を点灯させる回路を構成する複数の電子部品と不揮発性メモリを有する制御手段とが少なくとも実装された基板であり、定格電圧と定格電流とに基づいて決まる定格特性が互いに異なり、かつ、前記定格特性が所定の範囲に含まれる前記定格特性の違う複数種類の前記光源が使用候補となるとともに、前記使用候補となる複数種類の前記光源のうちいずれかの前記光源の前記定格特性に対応する対応値が前記不揮発性メモリに書き込まれることによって、前記対応値に対応する前記定格特性の前記光源を使用できることが確定する基板であるプラットフォーム基板を備え、
前記不揮発性メモリには定格特性に対応する対応値に応じた過電圧保護閾値が書き込まれ、
前記不揮発性メモリに書き込まれた前記対応値に応じて過電圧保護閾値を変更し、
前記プラットフォーム基板が出力する電圧が前記過電圧保護閾値以上となったとき前記制御手段が過電圧保護動作を行う照明器具。
【発明の詳細な説明】
【技術分野】
【０００１】
本発明は、点灯装置および照明器具に関する。
【背景技術】
【０００２】
従来、例えば、特開２０１３−２３２３９４号公報に開示されているように、開発期間の短縮と標準化を図るためのプラットフォーム基板を備えた点灯装置および照明器具が知られている。ＬＥＤを光源とする点灯装置は、ＬＥＤを任意の基板に必要数実装したＬＥＤモジュールが光源として使われているので、光源となるＬＥＤモジュールの定格電力、定格電圧、定格電流は、ＬＥＤモジュール毎に異なる。それぞれのＬＥＤモジュールで要求される定格電力、定格電圧、定格電流に対応するためには、それぞれに対応した多種類の点灯装置が必要となる。そこで、開発期間の短縮と標準化を図るため、それぞれのＬＥＤモジュールで要求される定格電力、定格電圧、定格電流に短期に対応することのできるプラットフォーム基板が開発されている。
【０００３】
また、点灯装置は、一般的にＬＥＤモジュールに流す電流を定電流制御しているため、点灯中に光源であるＬＥＤモジュールの脱着（つまり、一端取り外してから再度取り付けること）をした場合、ＬＥＤモジュールを取り外した時に点灯装置の出力電圧が上昇する。このため、点灯装置の保護、及びＬＥＤモジュール脱着時のＬＥＤモジュールへの過大な電流の抑制をおこなうために過電圧保護手段を必要とする。過電圧保護手段は、ある閾値電圧（以下過電圧保護閾値とも称す）以上まで出力電圧が上昇したら保護動作を行うものである。
【先行技術文献】
【特許文献】
【０００４】
【特許文献１】特開２０１３−２３２３９４号公報
【発明の概要】
【発明が解決しようとする課題】
【０００５】
特開２０１３−２３２３９４号公報にかかるプラットフォーム基板では、定格電力、定格電圧、定格電流等の点灯時の特性を、不揮発性メモリに対応値を書き込むことで可変に設定できる。しかしながら、過電圧保護閾値は制御ＩＣに抵抗分圧で設定するなどにより固定的に設定されていたので、プラットフォーム基板が有する広い定格特性範囲のうち最も出力電圧が高い定格特性に合わせて過電圧保護閾値を設定せざるを得なかった。このため、個々の定格特性に合わせて過電圧保護閾値を適切に設定することができないという問題があった。
【０００６】
本発明は、上述のような課題を解決するためになされたもので、プラットフォーム基板が有する広い定格特性範囲に合わせて過電圧保護閾値を設定することができる点灯装置および照明器具を提供することを目的とする。
【課題を解決するための手段】
【０００７】
本発明にかかる点灯装置は、光源を点灯させる回路を構成する複数の電子部品と不揮発性メモリを有する制御手段とが少なくとも実装された基板であり、定格電圧と定格電流とに基づいて決まる定格特性が互いに異なり、かつ、前記定格特性が所定の範囲に含まれる前記定格特性の違う複数種類の前記光源が使用候補となるとともに、前記使用候補となる複数種類の前記光源のうちいずれかの前記光源の前記定格特性に対応する対応値が前記不揮発性メモリに書き込まれることによって、前記対応値に対応する前記定格特性の前記光源を使用できることが確定する基板であるプラットフォーム基板を備え、前記不揮発性メモリには定格特性に対応する対応値に応じた過電圧保護閾値が書き込まれ、前記不揮発性メモリに書き込まれた前記対応値の書き込みに応じて過電圧保護閾値を変更し、前記プラットフォーム基板が出力する電圧が前記過電圧保護閾値以上となったとき前記制御手段が過電圧保護動作を行う。
【０００８】
本発明にかかる照明器具は、光源と、前記光源を点灯させる点灯装置と、を備え、前記点灯装置は、光源を点灯させる回路を構成する複数の電子部品と不揮発性メモリを有する制御手段とが少なくとも実装された基板であり、定格電圧と定格電流とに基づいて決まる定格特性が互いに異なり、かつ、前記定格特性が所定の範囲に含まれる前記定格特性の違う複数種類の前記光源が使用候補となるとともに、前記使用候補となる複数種類の前記光源のうちいずれかの前記光源の前記定格特性に対応する対応値が前記不揮発性メモリに書き込まれることによって、前記対応値に対応する前記定格特性の前記光源を使用できることが確定する基板であるプラットフォーム基板を備え、前記不揮発性メモリには定格特性に対応する対応値に応じた過電圧保護閾値が書き込まれ、前記不揮発性メモリに書き込まれた前記対応値の書き込みに応じて過電圧保護閾値を変更し、前記プラットフォーム基板が出力する電圧が前記過電圧保護閾値以上となったとき前記制御手段が過電圧保護動作を行う。
【発明の効果】
【０００９】
本発明によれば、不揮発性メモリに書き込まれた対応値に応じて過電圧保護動作を開始する電圧の閾値を変更可能としたので、プラットフォーム基板が有する広い定格特性範囲に合わせて過電圧保護閾値を設定することができる。
【図面の簡単な説明】
【００１０】
【図１】本発明の実施の形態１にかかる点灯装置および照明器具を示すブロック図である。
【図２】実施の形態１にかかる点灯装置および照明器具の回路図である。
【図３】実施の形態１にかかる点灯装置および照明器具の動作を説明するための図である。
【図４】実施の形態１にかかる点灯装置および照明器具の動作を説明するための図である。
【図５】本発明の実施の形態２にかかる点灯装置および照明器具の回路図である。
【図６】実施の形態２にかかる点灯装置および照明器具の動作を説明するための図である。
【発明を実施するための形態】
【００１１】
実施の形態１．
図１は、実施の形態１にかかる点灯装置１００および照明器具３００を示すブロック図であり、図２はその回路図である。点灯装置１００には、定格電力、定格電流、定格電圧等が異なる複数の種類の光源に対して汎用的に使用できる実装基板が使用される。この実装基板には制御装置（例えばマイクロコンピュータ、以下マイコンという）、抵抗、コンデンサ、コイル等の複数の電子部品が実装されて、全体として点灯装置１００として機能する。この実装基板は複数の種類の光源に対して汎用的に使用できるものであり、以下、便宜上「プラットフォーム基板１１０」とも称す。プラットフォーム基板１１０は、不揮発性メモリ１９ａを有するマイコン１９および制御ＩＣ１８を含む制御手段５３と複数の電子部品とが実装され、点灯装置として機能する。プラットフォーム基板１１０は、定格電圧と定格電流とに基づいて決まる定格特性が互いに異なり、かつ、その定格特性が所定の範囲に含まれる定格特性の違う複数種類のＬＥＤモジュールが使用候補となる。つまりプラットフォーム基板１１０は、これらの使用候補に対して汎用品である。プラットフォーム基板１１０は、使用候補となる複数種類のＬＥＤモジュールのうちのいずれかのＬＥＤモジュールの定格特性に対応する対応値が不揮発性メモリ１９ａに書き込まれることで、そのＬＥＤモジュールを使用できることが確定する。つまり対応値が書き込まれることで、そのＬＥＤモジュールの専用品となる。本実施の形態ではプラットフォーム基板１１０についての説明を適宜に記載するが、より詳細な構成および製造方法などに関しては特開２０１３−２３２３９４号公報により既に公知であるため、必要に応じて説明を省略あるいは簡略化する。
【００１２】
図１および図２に示すように、整流回路２、昇圧チョッパ回路５０、降圧チョッパ回路５１は電源回路を構成する。整流回路２は、交流電源１からの交流電力を直流電力に整流する。なお、整流回路２と昇圧チョッパ回路５０の間において、図示しないコンデンサが整流回路２の両出力端子間に接続されていてもよい。昇圧チョッパ回路５０は整流回路２の両出力端子間に接続されている。降圧チョッパ回路５１は、昇圧チョッパ回路５０の両出力端子間に接続される。昇圧チョッパ回路５０は、整流回路２の出力端子にインダクタ３を介してＭＯＳＦＥＴであるスイッチング素子４を並列に接続するとともに、ダイオード６を順極性に介して平滑コンデンサ７を並列に接続している。スイッチング素子４は、ＰＦＣ制御ＩＣ５からの制御信号によりオンオフを切り替えてスイッチングする。降圧チョッパ回路５１は、昇圧チョッパ回路５０の出力端子にスイッチング素子８を介してダイオード１１を並列に接続するとともに、インダクタ１０を介してコンデンサ１２を並列に接続している。スイッチング素子８は、駆動回路９からの信号によりオンオフを切り替えてスイッチングする。降圧チョッパ回路５１の出力側にＬＥＤモジュール２００の電圧を検出する抵抗１４、抵抗１５の分圧回路が接続されるとともに、ＬＥＤ電流を検出する抵抗１３が接続されている。
【００１３】
降圧チョッパ回路５１の両出力端子間に、光源であるＬＥＤモジュール２００が接続される出力端が設けられている。光源がＬＥＤ素子からなる場合、複数個を直列あるいは直並列に接続して使用する。使用するＬＥＤ素子の種類によって、ＬＥＤモジュール２００の定格電流、定格電圧は異なる。このことから、ＬＥＤ素子の種類あるいは接続方法が異なると、様々な定格のＬＥＤモジュール２００を点灯する照明器具（点灯装置）の定格出力（電流、電圧、電力）は、多種多様となる。なお、ＬＥＤモジュール２００に代えて、有機ＥＬ素子を有する有機ＥＬモジュールを接続してもよい。
【００１４】
制御手段５３は、不揮発性メモリ１９ａが内蔵されたマイコン１９と、駆動回路９を制御する制御ＩＣ１８とを含んでいる。マイコン１９の代わりに不揮発性メモリ１９ａを内蔵したＤＳＰ（Ｄｉｇｉｔａｌ Ｓｉｇｎａｌ Ｐｒｏｃｅｓｓｏｒ）等の演算装置を用いてもよい。プラットフォーム基板１１０は、実装された制御手段５３が有する不揮発性メモリ１９ａ（不揮発記憶部）に、使用するべきＬＥＤモジュール２００の定格特性に対応する設定値（対応値）を書き込むことで、使用候補であったそのＬＥＤモジュール２００を使用できることが確定し、そのＬＥＤモジュール２００を使用できるようになる。不揮発性メモリ１９ａに、使用候補のうちの実際に使用するべきＬＥＤモジュール２００の定格特性に対応する設定値を書き込むことで、プラットフォーム基板１１０は、そのＬＥＤモジュール２００の専用品となる。ここで書き込む設定値（対応値）は、たとえば、ＬＥＤモジュール２００の定格電流、あるいは定格電圧等である。また、後述のように、調光機能を持たせる場合は調光指令値に対応する電流値、あるいは過電圧保護のための閾値電圧値をさらに書き込んでもよいが、プラットフォーム基板１１０の出力する電流値を確定するための設定値（定格電流、あるいは定格電圧）の書込みは必須である。
【００１５】
商用の交流電源１から入力された交流電圧、例えばＡＣ１００Ｖを整流回路２にて直流電圧に整流し、整流された直流電圧はＰＦＣ制御ＩＣ５の制御を受けたスイッチング素子４によって所定の周波数およびオンデューティーでスイッチングされることにより、平滑コンデンサ７の両端間に所定の直流電圧が発生する。なお、昇圧チョッパ回路５０は、入力側の電流波形を同位相で正弦波形に整えることにより、力率を改善する。変換された直流電圧は降圧チョッパ回路５１に入力され、駆動回路９の制御をうけたスイッチング素子８によって、所定の周波数およびオンデューティーでスイッチングされることにより、出力端に接続されたＬＥＤモジュール２００に所定の電流が流れる。また、コンデンサ１２はＬＥＤモジュール２００に流れる電流を平滑化する。制御手段５３は、ＬＥＤモジュール２００に流れる電流を検出する抵抗１３に発生した電圧、および制御手段５３のマイコン１９が内蔵した不揮発性メモリ１９ａに格納された電流設定値に基づいて、駆動回路９の制御を行い、降圧チョッパ回路５１の動作を定電流制御（フィードバック制御）する。また、ＬＥＤモジュール２００の電圧を検出する抵抗１５に発生した電圧および制御手段５３の不揮発性メモリ１９ａに格納された電圧設定値に基づいて、ＬＥＤモジュール２００の異常を検知し、過電圧保護動作を行う。本実施の形態の過電圧保護動作は、昇圧チョッパ回路５０の動作および降圧チョッパ回路５１の動作を停止するものである。
【００１６】
図３および図４は、実施の形態１にかかる点灯装置１００および照明器具３００の動作を説明するための図である。図３を用いて特開２０１３−２３２３９４号公報におけるプラットフォーム基板１１０での適用範囲と過電圧保護閾値Ｖｓｔｈの関係について説明を行う。
【００１７】
図３は、過電圧保護閾値Ｖｓｔｈが一つしか設定できない場合の問題点を説明するための図であり、特開２０１３−２３２３９４号公報の図５に過電圧保護閾値Ｖｓｔｈおよび定格特性Ａ，Ｂ，Ｃを記載したものである。プラットフォーム基板１１０には、不揮発性メモリ１９ａに定格特性に対応する対応値を書き込むことによって定格特性Ａ（出力電流＝５００ｍＡ）、定格特性Ｂ（出力電流＝３５０ｍＡ）、あるいは定格特性Ｃ（出力電流＝２５０ｍＡ）を実現でき、任意の出力電流を設定することができる。しかし、仮に過電圧保護閾値Ｖｓｔｈを一つしか設定できないとすると、プラットフォーム基板１１０の電圧範囲の最大（つまり定格特性Ｃの最大出力電圧である２００Ｖ）で誤動作がおきないような電圧に過電圧保護閾値Ｖｓｔｈを設定せざるをえない。図３では、２００Ｖに対して５０Ｖのマージンをとり、２５０Ｖに過電圧保護閾値Ｖｓｔｈを設定している。定格特性Ｃ（出力電流＝２５０ｍＡ）を実現する対応値をプラットフォーム基板１１０に設定したときには、使用できる電圧範囲の最大が２００Ｖのため、過電圧保護閾値Ｖｓｔｈは２５０Ｖが適切である。しかし、定格特性Ａ（出力電流＝５００ｍＡ）を実現する対応値をプラットフォーム基板１１０に設定したときには、過電圧保護閾値Ｖｓｔｈは２５０Ｖでは５０Ｖの開きがあり過剰に大きいものとなってしまう。定格特性Ｂ（出力電流＝３５０ｍＡ）にした場合も同様である。過電圧保護閾値Ｖｓｔｈを過剰に大きいものにしてしまうと、ＬＥＤモジュール２００の脱着時にＬＥＤモジュール２００に流れるラッシュ電流が大きくなってしまい、ＬＥＤモジュール２００にストレスを与えることになる。また、ストレスを与えるだけでなく、場合によってはＬＥＤモジュール２００が故障してしまう。
【００１８】
そこで、本実施の形態では、図４に示すように複数の過電圧保護閾値Ｖｓｔｈａ，Ｖｓｔｈｂを切替可能としている。図４を図３と比較すると、過電圧保護閾値Ｖｓｔｈが過電圧保護閾値Ｖｓｔｈａと過電圧保護閾値Ｖｓｔｈｂの２つとなっている。過電圧保護閾値Ｖｓｔｈａと過電圧保護閾値Ｖｓｔｈｂは、プラットフォーム基板１１０に定格特性を書き込むときに保護閾値情報も同時に書き込みを行い、定格特性とともに設定を行うことが好ましい。これにより、過電圧保護閾値Ｖｓｔｈは出力電流が大きくなれば低めの値に設定される。プラットフォーム基板１１０の適用範囲の上限は、出力電圧と出力電流の積で５０Ｗを上限としているので、出力電流が大きくなれば出力電圧の上限は小さくなる。脱着時にＬＥＤモジュール２００に流れるラッシュ電流は、ＬＥＤモジュール２００のＶＦと過電圧閾値の差（△Ｖ）が大きいほど大きくなる。定格特性Ａ，Ｂの時には、過電圧保護閾値Ｖｓｔｈを過電圧保護閾値Ｖｓｔｈａとし、定格特性Ｃの時には、過電圧保護閾値Ｖｓｔｈｂとすることで、定格特性の出力電圧にあわせて過電圧保護閾値を可変に設定することができる。点灯装置１００は、プラットフォーム基板１１０が出力する電圧が過電圧保護閾値ＶｓｔｈａあるいはＶｓｔｈｂ以上となったら、制御ＩＣ１８に上述した過電圧保護動作を行わせる。
【００１９】
点灯装置１００は、不揮発性メモリ１９ａに書き込まれた対応値に応じて過電圧保護閾値Ｖｓｔｈａ、Ｖｓｔｈｂを切り替えるための手段として、電圧検出回路５２を備えている。電圧検出回路５２は、プラットフォーム基板１１０が出力する電圧を検出し、検出した検出電圧Ｖｄｅｔを制御手段５３の制御ＩＣ１８に供給する。過電圧保護閾値Ｖｓｔｈの変更を実現するための好ましい形態の１つとして、実施の形態１では電圧検出回路５２が対応値に応じて制御ＩＣ１８に供給する検出電圧Ｖｄｅｔを可変に設定する。制御ＩＣ１８は、電圧検出回路５２で検出した検出電圧Ｖｄｅｔが制御ＩＣ１８の保護閾値電圧Ｖｓ以上となったら過電圧保護動作を行う。この場合の保護閾値電圧Ｖｓは、制御ＩＣ１８で定められた固定値である。
【００２０】
実施の形態１にかかる好ましい形態のより具体的な回路構成として、電圧検出回路５２は、プラットフォーム基板１１０の出力端に設けられた抵抗１４、１５からなる分圧回路と、この分圧回路の分圧比を変えるように抵抗１５に並列に付加される付加抵抗１６と、付加抵抗１６と抵抗１５との接続と遮断を切り替えるスイッチ１７と、を備えている。マイコン１９は、不揮発性メモリ１９ａに書き込まれた定格特性Ａ〜Ｃに応じてスイッチ１７を制御することで、制御ＩＣ１８に入力される検出電圧Ｖｄｅｔを変更することができる。本実施の形態では、スイッチ１７のオンオフの切替を、出力電流３５０ｍＡを基準として行う。出力電流が３５０ｍＡ以上であるときには、マイコン１９はスイッチ１７をオフに維持し、付加抵抗１６は接続されない状態になる。このとき過電圧保護閾値はＶｓｔｈａであり、約１７０Ｖである。出力電流が３５０ｍＡ未満、具体的には例えば３００ｍＡであるときには、マイコン１９はスイッチ１７をオンに維持し、付加抵抗１６は並列接続される。これにより、電圧検出回路５２が制御ＩＣ１８に対して出力する検出電圧Ｖｄｅｔが低下するので、スイッチ１７オフのときと比べて出力電圧がより大きな値になるまで過電圧保護が働かないことになり、過電圧保護閾値がＶｓｔｈａよりも高いＶｓｔｈｂとなる。Ｖｓｔｈｂは約２５０Ｖである。
【００２１】
なお、実施の形態１では付加抵抗１６を並列に接続しているが、本発明はこのような付加方法に限られるものではなく、例えば付加抵抗１６を抵抗１４、１５に直列に接続するとともにこの直列の付加抵抗１６をバイパスするバイパス配線を設け、さらにこのバイパス配線の途中にスイッチ１７を配置することで、付加抵抗１６の付加と除去を選択的に切り替えても良い。なお、本実施の形態では二段階の切替としたが、３段階以上の多段階に増やしても良い。例えば、実施の形態１では１つの付加抵抗１６を１つのスイッチ１７で選択的に接続することで二段階の切替としたが、本発明はこれに限られず、２つ以上の付加抵抗１６およびスイッチ１７を更に設けて３段階以上の多段階に増やしてもよく、可変抵抗素子を用いるなどして連続的に切り替えても良い。
【００２２】
実施の形態２．
図５は、本発明の実施の形態２にかかる点灯装置１０２および照明器具３０２の回路図である。照明器具３０２は、点灯装置１００を点灯装置１０２に置換した点以外は照明器具３００と同じである。点灯装置１０２は、電圧検出回路５２を電圧検出回路１５２に置換した点および制御手段５３を単一のマイコン１１９に置換した点を除いては点灯装置１００と同じであり、プラットフォーム基板１１０と同様の構造、機能を有するプラットフォーム基板１１２に実装されている。
【００２３】
実施の形態２にかかる制御手段としてのマイコン１１９は、抵抗１４、１５からなる抵抗分圧回路で検出した検出電圧Ｖｄｅｔが保護閾値電圧Ｖｓ以上となったら過電圧保護動作を行う。これは制御ＩＣ１８と同じである。しかしながら、マイコン１１９は、不揮発性メモリ１９ａに書き込まれた対応値に応じて保護閾値電圧Ｖｓそのものを可変に設定するプログラムを内蔵しており、これにより検出電圧Ｖｄｅｔが一定でも過電圧保護閾値Ｖｓｔｈｖを可変に設定できる点が実施の形態１とは異なっている。また、実施の形態２ではマイコン１１９が実施の形態１の制御ＩＣ１８が行っていた駆動回路９への制御信号供給を行う。
【００２４】
図６は、点灯装置１０２および照明器具３０２の動作を説明するための図である。実施の形態２では、不揮発性メモリ１９ａの対応値に応じて連続的に過電圧保護閾値Ｖｓｔｈｖを変更させることができる。好ましくは、対応値それぞれに対応する定格特性の出力電流最大値それぞれに対するマージンが等しくなるように、対応値に応じて閾値を変更してもよい。実施の形態２にかかるマイコン１１９は、オペアンプ内蔵型であり信号処理の遅れ時間が短い高性能マイコンであることが好ましい。これにより、検出電圧Ｖｄｅｔと設定した保護閾値電圧Ｖｓとの比較判定、およびその比較判定結果に基づく過電圧保護動作の実行を高速に実施することができるからである。
【００２５】
なお、実施の形態１においても実施の形態２と同様に一定マージンを保つように複数の過電圧保護閾値を設定して切り替えても良い。また、実施の形態１と実施の形態２は組み合わせて用いても良い。
【符号の説明】
【００２６】
１  交流電源、２  整流回路、３  インダクタ、４  スイッチング素子、５  ＰＦＣ制御ＩＣ、６  ダイオード、７  平滑コンデンサ、８  スイッチング素子、９  駆動回路、１０  インダクタ、１１  ダイオード、１２  コンデンサ、１３、１４、１５  抵抗、１６  付加抵抗、１７  スイッチ、１８  制御ＩＣ、１９、１１９  マイコン、１９ａ  不揮発性メモリ、５０  昇圧チョッパ回路、５１  降圧チョッパ回路、５２、１５２  電圧検出回路、５３  制御手段、１００、１０２  点灯装置、１１０、１１２  プラットフォーム基板、２００  ＬＥＤモジュール、３００、３０２  照明器具
【図１】
2015170527.tif 000003
【図２】
2015170527.tif 000004
【図３】
2015170527.tif 000005
【図４】
2015170527.tif 000006
【図５】
2015170527.tif 000007
【図６】
2015170527.tif 000008